【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
遊技を行う遊技機であって、
遊技者による動作を検出する検出手段と、
予め定められた特定条件の成立に基づく有効期間において前記検出手段により検出された動作に基づいて予め定められた動作条件が成立したか否かを、該有効期間が終了した場合に判定する判定手段と、
前記判定手段により前記動作条件が成立したと判定されたときに、遊技者に特典を付与する特典付与手段と、
遊技者に所定の動作を促す促進報知を実行する促進報知手段とを備え、
前記判定手段は、
前記促進報知手段により促進報知が実行されていない前記有効期間にて前記検出手段により検出された動作が、予め定められた第１動作パターンでの動作であるときと、該第１動作パターンでの動作に続いて追加動作パターンでの動作を含む第２動作パターンでの動作であるときに、前記動作条件が成立したと判定し、
前記検出手段により前記第１動作パターンでの動作が検出された後、前記追加動作パターンでの動作とは異なる動作パターンでの動作が検出されたときに、前記第１動作パターンでの動作であると判定し、
前記特典付与手段は、
前記検出手段により検出された動作が前記第１動作パターンでの動作であるときに前記動作条件が成立したと判定された場合には第１特典を付与し、
前記検出手段により検出された動作が前記第２動作パターンでの動作であるときに前記動作条件が成立したと判定された場合には前記第１特典とは異なる第２特典を付与する、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、遊技を行う遊技機に関する。
【手続補正３】
【補正対象書類名】明細書
【補正対象項目名】０００７
【補正方法】変更
【補正の内容】
【０００７】
（１）上記目的を達成するため、本願発明に係る遊技機は、遊技を行う遊技機（例えばパチンコ遊技機１やスロットマシン５００など）であって、遊技者による動作を検出する検出手段（例えばコントローラセンサユニット３５Ａやプッシュセンサ３５Ｂからの検出信号に基づいて、ステップＳ５２６の操作有効期間中処理を実行する演出制御用ＣＰＵ１２０など）と、予め定められた特定条件（例えば大当り開始時や、デモ画面表示中、リーチ発展時、大当り終了時などに）の成立に基づく有効期間において前記検出手段により検出された動作に基づいて予め定められた動作条件が成立したか否かを、該有効期間が終了した場合に判定する判定手段（例えばステップＳ６２４〜Ｓ６３０の処理を実行する演出制御用ＣＰＵ１２０など）と、前記判定手段により前記動作条件が成立したと判定されたときに、遊技者に特典を付与する特典付与手段（例えばステップＳ６２８の処理を実行する演出制御用ＣＰＵ１２０など）と、遊技者に所定の動作を促す促進報知（例えば図２２に示すようなボタン操作促進演出など）を実行する促進報知手段（例えばステップＳ５０３、Ｓ５０５の処理を実行する演出制御用ＣＰＵ１２０など）とを備え、前記判定手段は、前記促進報知手段により促進報知が実行されていない前記有効期間にて前記検出手段により検出された動作が、予め定められた第１動作パターンでの動作であるときと、該第１動作パターンでの動作に続いて追加動作パターンでの動作を含む第２動作パターンでの動作であるときに、前記動作条件が成立したと判定し（例えばステップＳ５２５、Ｓ５２６の処理を実行した後、ステップＳ５２７におけるＹｅｓの判定に基づいてステップＳ６２４〜Ｓ６２６の処理を実行することにより、図２１（Ａ１）〜（Ａ５）に示す操作判定パターンを用いた判定を行う部分など）、前記検出手段により前記第１動作パターンでの動作が検出された後、前記追加動作パターンでの動作とは異なる動作パターンでの動作が検出されたときに、前記第１動作パターンでの動作であると判定し、前記特典付与手段は、前記検出手段により検出された動作が前記第１動作パターンでの動作であるときに前記動作条件が成立したと判定された場合には第１特典を付与し、前記検出手段により検出された動作が前記第２動作パターンでの動作であるときに前記動作条件が成立したと判定された場合には前記第１特典とは異なる第２特典を付与する（例えばステップＳ６２８にて図２１（Ｃ）に示すような充足パターンに応じた楽曲を設定する部分など）。
このような構成によれば、第２動作パターンでの動作は第１動作パターンでの動作に続いて追加動作パターンでの動作を含むことから、隠しコマンドとなる動作に対する遊技者の興味を高めて、遊技の興趣を向上させることができる。
【手続補正４】
【補正対象書類名】明細書
【補正対象項目名】０００８
【補正方法】変更
【補正の内容】
【０００８】
なお、促進報知手段により促進報知が実行されていないとは、遊技者に所定の動作を促す報知として予め定められた促進報知の一部または全部が実行されていないことであり、促進報知とは異なる演出として、動作の検出が有効であることを示唆（暗示）する所定演出が実行されることを含む。この所定演出は、促進報知手段によって実行されてもよいし、促進報知手段とは異なる所定の演出手段によって実行されてもよい。また、促進報知手段の他に、促進報知の一部を実行できる手段を設け、促進報知手段による促進報知が実行されなくても、他の手段により促進報知の一部が実行されることを含む。
【手続補正５】
【補正対象書類名】明細書
【補正対象項目名】０００９
【補正方法】変更
【補正の内容】
【０００９】
（２）上記（１）の遊技機において、前記特典付与手段は、前記検出手段により検出された動作が前記第２動作パターンでの動作であるときに、前記第１動作パターンでの動作であるときよりも遊技者にとって有利な特典（例えば楽曲ＭＶ２〜楽曲ＭＶ５のうちいずれかの楽曲など）を付与してもよい。
このような構成においては、有利な特典が付与される第２動作パターンでの動作に対する遊技者の興味を高めて、遊技の興趣を向上させることができる。
【手続補正６】
【補正対象書類名】明細書
【補正対象項目名】００１０
【補正方法】変更
【補正の内容】
【００１０】
（３）上記（１）または（２）の遊技機において、前記検出手段により検出された動作が、前記第１動作パターンでの動作であるときと、前記第２動作パターンでの動作であるときに、所定の報知（例えば図２１（Ｂ）に示すような操作条件成立報知など）を行う特定入力報知手段（例えばステップＳ６２７の処理を実行する演出制御用ＣＰＵ１２０など）を備えてもよい。
このような構成においては、第１動作パターンや第２動作パターンでの動作であることの報知により、特典が付与される動作を遊技者に認識させて、遊技の興趣を向上させることができる。
【手続補正７】
【補正対象書類名】明細書
【補正対象項目名】００１１
【補正方法】変更
【補正の内容】
【００１１】
（４）上記（１）から（３）のうちいずれかの遊技機において、前記判定手段は、前記検出手段により前記第２動作パターンでの動作に続いて別の動作が検出されたときに、前記第２動作パターンでの動作であると判定してもよい（例えばステップＳ６２６にて操作検出情報の操作回数が操作判定パターンの操作回数以上であれば、操作判定パターンを充足すると判定する部分など）。
このような構成においては、第１動作パターンや第２動作パターンでの動作を容易にして、隠しコマンドとなる指示入力に対する遊技者の興味を高めて、遊技の興趣を向上させることができる。
【手続補正８】
【補正対象書類名】明細書
【補正対象項目名】００１２
【補正方法】変更
【補正の内容】
【００１２】
（５）上記（１）から（４）のうちいずれかの遊技機において、前記特定条件とともに該特定条件とは異なる特別条件が成立したときに、前記第２動作パターンでの動作の検出を有効にする検出設定手段（例えばステップＳ６２１におけるＮｏの判定に基づきステップＳ６２３の処理を実行する演出制御用ＣＰＵ１２０など）を備えてもよい。
このような構成においては、特別条件が成立したときに第２動作パターンでの動作の検出を有効にすることで、第１動作パターンでの動作により付与される特典とは異なる特典に対する遊技者の興味を高めて、遊技の興趣を向上させることができる。